(57)【要約】【課題】  人間が直接に摂取する飲料水に対する、光触媒材料と粘土鉱物との混合焼成材料が持つ吸着作用、光触媒作用及び滅菌作用の有効な活用方法を開発する。【解決手段】  液体用容器の内部において、少なくとも粘土鉱物と光触媒材料とを含有する混合原料を焼成してなる多孔質複合材料が、前記容器に収容される飲料水、例えば水道水や高度に浄化された飲料水と接触する部位に保持されている飲料水の浄化滅菌容器。この浄化滅菌容器を利用して水道水や清浄化度の高い飲料水を浄化及び滅菌する方法。【選択図】          図１  
2005040704.tif 000002
【特許請求の範囲】
【請求項１】
塩素系化合物で滅菌された飲料水を、少なくとも粘土鉱物と人体に無害な光触媒材料とを含有する混合原料を焼成してなる多孔質複合材料に対して接触状態で保管することにより、該飲料水中の塩素系化合物を除去すると共に飲料水の滅菌状態を維持することを特徴とする飲料水の浄化滅菌方法。
【請求項２】
飲料水をプラスチック製容器内に保管するに当たり、該飲料水を、少なくとも粘土鉱物と人体に無害な光触媒材料とを含有する混合原料を焼成してなる多孔質複合材料に対して接触状態で保管することにより、プラスチック製容器から飲料水中に溶出する有害成分を除去すると共に飲料水の滅菌状態を維持することを特徴とする飲料水の浄化滅菌方法。
【請求項３】
前記粘土鉱物が、層状粘土鉱物であることを特徴とする請求項１又は請求項２に記載の飲料水の浄化滅菌方法。
【請求項４】
前記層状粘土鉱物が、カオリナイト、ハロイサイト、モンモリロナイト、イライト、スメクタイト、バーミキュライト、合成マイカ又は緑泥石のいずれか１種以上であることを特徴とする請求項１〜請求項３のいずれかに記載の飲料水の浄化滅菌方法。
【請求項５】
前記光触媒材料が、酸化チタン、酸化亜鉛、酸化ジルコニウム、酸化鉄又は酸化タングステンのいずれか１種以上であることを特徴とする請求項１〜請求項４のいずれかに記載の飲料水の浄化滅菌方法。
【請求項６】
前記酸化チタンが、アナターゼ型の、及び／又は、薄片状の形態を有する酸化チタンであることを特徴とする請求項５に記載の飲料水の浄化滅菌方法。
【請求項７】
液体用容器の内部において、少なくとも粘土鉱物と光触媒材料とを含有する混合原料を焼成してなる多孔質複合材料が、前記容器に収容される飲料水と接触する部位に保持されていることを特徴とする飲料水の浄化滅菌容器。
【請求項８】
前記容器が、次の（１）及び／又は（２）の構成を備えていることを特徴とする請求項７に記載の飲料水の浄化滅菌容器。
（１）容器壁部の少なくとも一部が光透過性の材料からなる。
（２）容器内部に、前記多孔質複合材料に対する光照射用の光源を備える。
【請求項９】
前記多孔質複合材料が、前記容器の内部に設けた通水構造の保持部材によって保持されていることを特徴とする請求項７又は請求項８に記載の飲料水の浄化滅菌容器。
【請求項１０】
前記多孔質複合材料が粉状、粒状、モノリス状又はハニカム状の形状を有することを特徴とする請求項７〜請求項９のいずれかに記載の飲料水の浄化滅菌容器。
【発明の詳細な説明】
【技術分野】
【０００１】
本発明は飲料水の浄化滅菌方法及び飲料水の浄化滅菌容器に関し、更に詳しくは、簡単な手段によって、水道水等の飲料水中に含まれる滅菌用の塩素系化合物を除去したり、プラスチック製容器内に保管中の飲料水に対して容器壁から溶出し得る有害成分を除去したりして、同時にそれらの飲料水の滅菌状態を維持する浄化滅菌方法及び浄化滅菌容器に関する。
【背景技術】
【０００２】
近年、酸化チタンその他の光触媒材料と、粘土鉱物その他の吸着材料とを混合して焼成した多孔質複合材料が注目されている。このような多孔質複合材料は、多くの場合、大気や室内空気の浄化、家庭排水や産業排水の浄化等に利用され、吸着材料による有害成分の吸着と、吸着された有害成分の光触媒材料による分解とを相乗的に期待したものである。
【０００３】
【特許文献１】特開平１０−４６５１２号公報  上記の特許文献１には、コンクリート基層上にセメント、酸化チタン粉末、砂からなる表面層を有する舗装用窒素酸化物浄化ブロックにおける、該表面層の構成材料に対して一定の割合で粘土等の吸着成分を配合したものを開示している。そしてこの舗装用窒素酸化物浄化ブロックにおいては、吸着成分による窒素酸化物の吸着作用に加えて、光触媒による窒素酸化物の分解作用が起こるから、より有効な光触媒作用を期待できる、としている。
【０００４】
【特許文献２】特開２００１−１９８４７５号公報  上記の特許文献２には、粘土を焼結してなるボール状の多孔質セラミック体に対し、その多孔質部に二酸化チタンの粉末を吸着させて一体的に焼結した光触媒用二酸化チタン基床を開示している。そしてこの光触媒用二酸化チタン基床においては、多孔質セラミックボールによる有害成分の吸着作用に加えて、光触媒による有害成分の分解作用が起こるから、より有効な光触媒作用を期待することができる、としている。
【発明の開示】
【発明が解決しようとする課題】
【０００５】
ところで従来、このような光触媒材料と粘土鉱物等とを混合して焼成した多孔質複合材料は、前記したように、専ら大気浄化や排水処理等に利用されており、人間が栄養等として直接に摂取する飲食物に対して適用された事例は、余り見聞したことがない。
【０００６】
その第１の理由は、近年において人間の飲食物に対する衛生管理が著しく向上した点にある。即ち、一般論としては、吸着材料で吸着し光触媒で分解・除去すべきであるような有害成分が、そもそも人間が摂取する飲食物中に含有されていると言う事態は、想定し難いからである。
【０００７】
第２の理由は、代表的な光触媒材料の中には、ガリウム砒素、硫化カドミウム等のような人体に非常に有害な材料が包含されていることもあり、人間の飲食物に対して光触媒材料を適用すると言う発想がなかったからである。
【０００８】
しかしながら、上記第１の理由については、重大な例外がある。即ち、人間が栄養等として直接に摂取する飲食物の内、最も多量に利用されている水道水には、周知のように塩素系化合物（次亜塩素酸ナトリウム等）が滅菌もしくは静菌の目的で使用されている。勿論、水道水における塩素系化合物の濃度は、人体に対する障害が実質的に出ない範囲に調節されてはいるが、有害であることに変わりはない。
【０００９】
そこで、例えば水道の蛇口等に取り付ける、吸着性材料等を充填した浄水器が提供されている。しかし、このような浄水器等で水道水中の塩素系化合物を除去してしまうと、塩素系化合物による滅菌もしくは静菌の作用も失われる。従って、その水道水を直ちに飲用したり食物調理等の用途に利用する場合には問題がないが、水道水を種々の目的（例えば、地震や台風等の災害時に備えた保管等）で一定期間保管する場合には、却って雑菌やカビの繁殖を招き危険である。
【００１０】
更に近年、特段に清浄度が高いことを売り物にする各種の「清浄飲料水」が、ＰＥＴボトル等で容器販売され、人気を博している。これらのプラスチック製ボトルに充填された飲料水は、充填されてから商品流通過程を経て消費者に飲用されるまでに相当の保管期間を経過する場合が多い。従って、その保管期間中に、プラスチック容器の容器壁から多少の有害物質（老化防止剤、重合触媒、酸化防止剤等）が溶出する恐れがある。又、「清浄飲料水」との触れ込みから、滅菌剤や静菌剤を使用しない場合が多いため、保管期間が長引けば雑菌やカビの繁殖を招く恐れもある。
【００１１】
本願発明者は、特定種類の飲用水における上記のような問題点を解決するため、本発明を完成した。
【課題を解決するための手段】
【００１２】
（第１発明の構成）
上記課題を解決するための本願第１発明（請求項１に記載の発明）の構成は、塩素系化合物で滅菌された飲料水を、少なくとも粘土鉱物と人体に無害な光触媒材料とを含有する混合原料を焼成してなる多孔質複合材料に対して接触状態で保管することにより、該飲料水中の塩素系化合物を除去すると共に飲料水の滅菌状態を維持する、飲料水の浄化滅菌方法である。
【００１３】
（第２発明の構成）
上記課題を解決するための本願第２発明（請求項２に記載の発明）の構成は、飲料水をプラスチック製容器内に保管するに当たり、該飲料水を、少なくとも粘土鉱物と人体に無害な光触媒材料とを含有する混合原料を焼成してなる多孔質複合材料に対して接触状態で保管することにより、プラスチック製容器から飲料水中に溶出する有害成分を除去すると共に飲料水の滅菌状態を維持する、飲料水の浄化滅菌方法である。
【００１４】
（第３発明の構成）
上記課題を解決するための本願第３発明（請求項３に記載の発明）の構成は、前記第１発明又は第２発明に係る粘土鉱物が層状粘土鉱物である、飲料水の浄化滅菌方法である。
【００１５】
（第４発明の構成）
上記課題を解決するための本願第４発明（請求項４に記載の発明）の構成は、前記第１発明〜第３発明のいずれかに係る層状粘土鉱物が、カオリナイト、ハロイサイト、モンモリロナイト、イライト、スメクタイト、バーミキュライト、合成マイカ又は緑泥石のいずれか１種以上である、飲料水の浄化滅菌方法である。
【００１６】
（第５発明の構成）
上記課題を解決するための本願第５発明（請求項５に記載の発明）の構成は、前記第１発明〜第４発明のいずれかに係る光触媒材料が、酸化チタン、酸化亜鉛、酸化ジルコニウム、酸化鉄又は酸化タングステンのいずれか１種以上である、飲料水の浄化滅菌方法である。
【００１７】
（第６発明の構成）
上記課題を解決するための本願第６発明（請求項６に記載の発明）の構成は、前記第５発明に係る酸化チタンが、アナターゼ型の、及び／又は、薄片状の形態を有する酸化チタンである、飲料水の浄化滅菌方法である。
【００１８】
（第７発明の構成）
上記課題を解決するための本願第７発明（請求項７に記載の発明）の構成は、液体用容器の内部において、少なくとも粘土鉱物と光触媒材料とを含有する混合原料を焼成してなる多孔質複合材料が前記容器に収容される飲料水と接触する部位に保持されている、飲料水の浄化滅菌容器である。
【００１９】
（第８発明の構成）
上記課題を解決するための本願第８発明（請求項８に記載の発明）の構成は、前記第７発明に係る容器が、次の（１）及び／又は（２）の構成を備えている、飲料水の浄化滅菌容器である。
（１）容器壁部の少なくとも一部が光透過性の材料からなる。
（２）容器内部に、前記多孔質複合材料に対する光照射用の光源を備える。
【００２０】
（第９発明の構成）
上記課題を解決するための本願第９発明（請求項９に記載の発明）の構成は、前記第７発明又は第８発明に係る多孔質複合材料が、前記容器の内部に設けた通水構造の保持部材によって保持されている、飲料水の浄化滅菌容器である。
【００２１】
（第１０発明の構成）
上記課題を解決するための本願第１０発明（請求項１０に記載の発明）の構成は、前記第７発明〜第９発明のいずれかに係る多孔質複合材料が粉状、粒状、モノリス状又はハニカム状の形状を有する、飲料水の浄化滅菌容器である。
【発明の効果】
【００２２】
（第１発明及び第２発明の効果）
粘土鉱物と光触媒材料とを含有する混合原料を焼成してなる多孔質複合材料は、その多孔構造に基づく吸着作用により、飲料水中の有害成分を吸着し排除することができる。
【００２３】
又、吸着された有害成分には、光触媒による分解を受け付けないものもあるが、多くの場合、多孔質複合材料中の光触媒成分により分解される。従って、一旦吸着された有害成分成分の飲料水中への再溶出は起こり難い。又、一般的に飲料水中の有害成分は絶対量としては僅かな量である。以上の点から、多孔質複合材料を多量の飲料水に対して長期に又は繰り返して使用しても、有害成分が多孔質複合材料の吸着容量を超えることは考え難い。
【００２４】
第１発明の飲料水の浄化滅菌方法においては、塩素滅菌された飲料水を、少なくとも粘土鉱物と人体に無害な光触媒材料とを含有する混合原料を焼成してなる多孔質複合材料に対して接触させた状態で保管する。この場合、飲料水中の有害成分である滅菌用塩素化合物は多孔質複合材料中に吸着され、あるいは更に光触媒成分により分解される。
【００２５】
しかし、多孔質複合材料中の光触媒成分は、例えば活性な水酸基のようなラジカルを生成させて抗菌・抗カビ作用を示すことが知られている。従って、滅菌用の塩素化合物が除去されるにも関わらず、飲料水の滅菌状態は維持される。なお、本発明において「滅菌状態」とは、雑菌及びカビ類の繁殖が衛生管理上十分に許容できる程度に抑制されている状態を言う。
【００２６】
第１発明において重要な点は、通常の大気浄化や排水処理等の場合と異なり、飲料水中の有害成分である塩素系化合物は単なる有害不純物ではなく、一定の衛生上の目的から必要な成分として、意図的に添加されている、と言う点である。従って、通常の悪臭／有害成分の除去の場合のように、単に塩素系化合物を除去しただけでは、却って衛生上の問題を生じる。つまり、塩素系化合物を除去すると共に、同時に衛生上有効な補償措置を講ずる必要がある、と言う特殊な事情がある。第１発明は、簡単な手段により、この困難な問題を解決している。
【００２７】
第２発明の飲料水の浄化滅菌方法においては、飲料水（特に好ましくは、清浄度の高い飲料水）をプラスチック製容器内に保管するに当たり、該飲料水を、少なくとも粘土鉱物と人体に無害な光触媒材料とを含有する混合原料を焼成してなる多孔質複合材料に対して接触状態で保管する。この場合、保管期間中にプラスチック製容器の容器壁から飲料水中に有害成分が溶出する恐れがあるが、このような有害成分は多孔質複合材料中に吸着され、あるいは場合により更に光触媒成分により分解される。
【００２８】
しかも、多孔質複合材料中の光触媒成分による第１発明の場合と同様な抗菌・抗カビ作用により、飲料水の滅菌状態は維持される。
【００２９】
（第３発明の効果）
第３発明においては、多孔質複合材料の原料成分たる粘土鉱物が層状粘土鉱物である。層状粘土鉱物を用いると、多孔質複合材料における多孔構造が特に良好に発達することが知られている。よって、飲料水中の有害成分に対する多孔質複合材料の吸着能力が特に高い。
【００３０】
（第４発明の効果）
第４発明においては、多孔質複合材料の原料成分たる層状粘土鉱物が、カオリナイト、ハロイサイト、モンモリロナイト、イライト、スメクタイト、バーミキュライト、合成マイカ又は緑泥石のいずれか１種以上である。これらの層状粘土鉱物の１種、又は２種以上を用いると、多孔質複合材料における多孔構造がとりわけ良好に発達する。
【００３１】
（第５発明の効果）
第５発明においては、多孔質複合材料の原料成分たる光触媒材料が、酸化チタン、酸化亜鉛、酸化ジルコニウム、酸化鉄又は酸化タングステンのいずれか１種以上である。これらの光触媒材料は、人体に対して無害であり、しかも良好な光触媒作用を発揮することができる。
【００３２】
（第６発明の効果）
第６発明においては、多孔質複合材料の原料成分たる酸化チタンが、アナターゼ型の酸化チタン、薄片状の形態を有する酸化チタン、あるいはアナターゼ型でしかも薄片状の形態を有する酸化チタンである。
【００３３】
アナターゼ型の酸化チタンは特に良好な光触媒作用を発揮することが知られており、薄片状の形態を有する酸化チタンを用いると多孔質複合材料における多孔構造がとりわけ良好に発達する。
【００３４】
（第７発明の効果）
第７発明の飲料水の浄化滅菌容器においては、液体用容器の内部において、少なくとも粘土鉱物と光触媒とを含有する混合原料を焼成してなる多孔質複合材料が、前記容器に収容される飲料水と接触する部位に保持されている。
【００３５】
従って、この浄化滅菌容器に、塩素滅菌された飲料水や、商品販売の対象となる特に清浄な飲料水を収容して保管しておくと、前記第１発明又は第２発明の効果が容易に確保される。
【００３６】
（第８発明の効果）
第８発明のように、浄化滅菌容器が、その容器壁部の少なくとも一部が光透過性の材料からなるものである場合、容器の外部から入射する自然光や各種の人工光源による光によって多孔質複合材料中の光触媒成分が励起され、光触媒作用が効率的に発揮される。
【００３７】
又、浄化滅菌容器が、その容器内部に前記多孔質複合材料に対する光照射用の光源を備える場合、浄化滅菌容器を暗所に保管する場合や外部の人工光源による照明のない場所で夜間に保管している場合にも、光触媒成分を励起させて光触媒作用を発揮させることができる。
【００３８】
（第９発明の効果）
第９発明においては、多孔質複合材料が、浄化滅菌容器の内部に設けた通水構造の保持部材によって保持されている。従って、粉粒状の多孔質複合材料が飲料水中に分散することを防止できる。
【００３９】
又、浄化滅菌容器から飲料水を注ぎ出すために浄化滅菌容器を倒立状態に保持しても、飲料水に伴って多孔質複合材料が容器外部に出てしまう恐れを防止できる。更に、浄化滅菌容器を運搬・移動させる際等に多孔質複合材料の動揺や転動を防止し、以て多孔質複合材料の破損等を防止することもできる。
【００４０】
（第１０発明の効果）
浄化滅菌容器内部に保持する多孔質複合材料の形状は限定されないが、例えば第１０発明のように、粉状、粒状、モノリス状又はハニカム状の形状とすることが好ましい。
【発明を実施するための最良の形態】
【００４１】
次に、本願の第１発明〜第１０発明を実施するための形態を、その最良の形態を含めて説明する。以下において、単に「本発明」と言う時は、本願の各発明を一括して指している。
【００４２】
〔飲料水の浄化滅菌方法〕
本発明に係る飲料水の浄化滅菌方法は、要するに、対象となる飲料水を、少なくとも粘土鉱物と人体に無害な光触媒材料とを含有する混合原料を焼成してなる多孔質複合材料に対して接触状態で保管する、と言う方法である。
【００４３】
対象となる飲料水の種類は特段に限定されない。但し、塩素系化合物で滅菌された飲料水（例えば、水道水）が好ましく例示される。又、プラスチック製容器に充填して販売される飲料水（特に、清浄度が高いことを売り物する飲料水）も、好ましく例示される。前者の場合には前記第１発明の効果を、後者の場合には前記第２発明の効果を、それぞれ期待することができる。
【００４４】
〔多孔質複合材料〕
多孔質複合材料は、少なくとも粘土鉱物と人体に無害な光触媒材料とを含有する混合原料を任意の形状において焼成してなるものである。多孔質複合材料の形状としては、粉状、粒状、モノリス状又はハニカム状等を好ましく例示することができる。
【００４５】
多孔質複合材料の使用形態としては、多孔質複合材料をそのまま対象となる飲料水に接触させることもできるし、通水構造のフレーム状又はメッシュ状の保持部材によって多孔質複合材料を保持又は封入した状態において対象となる飲料水に接触させることもできる。前者の使用形態はモノリス状又はハニカム状の多孔質複合材料に好適であり、後者の使用形態は粉状又は粒状の多孔質複合材料に好適である。
【００４６】
モノリス状又はハニカム状の多孔質複合材料においては、その形状を棒状、円筒状又は板状等の任意の形状とすることができる。なお、「ハニカム状」とは、多孔質複合材料がそのミクロポアよりも著しく大きい多数の通水孔を備える構造であることを言う。
【００４７】
多孔質複合材料の焼成に当たっては、少なくとも粘土鉱物と人体に無害な光触媒材料とを含み、更に必要に応じて任意の副成分を追加した混合原料を適宜な組成比のもとに調製し、これを粉粒状で、あるいは必要に応じて所望の形状に成形・乾燥した後、適宜な焼成条件で焼成する。副成分としては、例えば水、有機バインダー、活性炭等を例示できる。上記の粘土鉱物と光触媒材料との混合比は任意に設定することができるが、例えば、重量比で粘土鉱物：光触媒材料＝６：４程度とすることが好ましい。
【００４８】
多孔質複合材料の焼成条件は、粘土鉱物の種類、光触媒材料の種類、これら両者の混合比、焼成される多孔質複合材料における吸着能力や光触媒能力等を総合的に考慮して決定する必要があり、一律には限定されない。
【００４９】
一般的には、焼成温度が過剰に高いと多孔質複合材料における多孔構造が潰れ易く、光触媒能力も低減する恐れがある。逆に焼成温度が過剰に低いと多孔質複合材料の物理的強度が不足する恐れがある。このような点から、例えば、粘土鉱物がカオリナイト又はこれを主成分とする粘土（いわゆる木節粘土等）であり、光触媒材料がチタニアである場合には、一般的に６００°Ｃ〜９００°Ｃ。程度で焼成するのが適当である。
【００５０】
〔粘土鉱物〕
多孔質複合材料の原料成分として用いる粘土鉱物の種類は限定されず、各種の層状粘土鉱物、針状粘土鉱物、繊維状粘土鉱物の１種類を単独で用い、又はそれらの２種類以上を併用することができる。
【００５１】
層状粘土鉱物を用いると、多孔質複合材料における多孔構造が良好に発達するので、特に好ましい。層状粘土鉱物としては、例えばカオリナイト、ハロイサイト、モンモリロナイト、イライト、スメクタイト、バーミキュライト、合成マイカ又は緑泥石のいずれか１種、又はそれらの２種以上を好ましく用いることができる。
【００５２】
〔光触媒材料〕
多孔質複合材料の原料成分として用いる光触媒材料の種類は、人体に無害なものである限りにおいて限定されないが、例えば、酸化チタン、酸化亜鉛、酸化ジルコニウム、酸化鉄又は酸化タングステンのいずれか１種、又はそれらの２種以上を好ましく用いることができる。
【００５３】
優れた光触媒作用及び滅菌作用の面からは、アナターゼ型の酸化チタンが特に好ましい。多孔質複合材料の吸着能力の向上の面からは、薄片状の形態を有する酸化チタンが特に好ましい。薄片状の形態を有する酸化チタンは特開平９−６７１２４号公報等に開示されている。アナターゼ型で、かつ薄片状の形態を有する酸化チタンは、とりわけ好ましい。
【００５４】
〔飲料水の浄化滅菌容器〕
本発明に係る飲料水の浄化滅菌容器においては、液体用容器の内部において、少なくとも粘土鉱物と光触媒材料とを含有する混合原料を焼成してなる多孔質複合材料が、前記容器に収容される飲料水と接触する部位に保持されている。浄化滅菌容器における液体用容器の構成材料は限定されず、ガラス容器、金属容器、プラスチック容器等であり得る。
【００５５】
これらの容器内に飲料水を長期にわたり収容する場合、容器壁中の可溶性成分が飲料水中に微量に溶出する恐れがある。このような恐れは、プラスチック容器の場合に特に大きい。しかし、このような溶出成分は多孔質複合材料によって吸着され、溶出成分の種類によっては、更に多孔質複合材料中の光触媒成分によって分解される。
【００５６】
又、飲料水が水道水等の塩素系化合物で滅菌された飲料水である場合、その塩素系化合物は多孔質複合材料によって吸着され、更に多孔質複合材料中の光触媒成分によって分解される。一方、塩素系化合物が吸着によって飲料水中から除去された後も、多孔質複合材料中の光触媒成分に基づく滅菌作用により、飲料水における雑菌やカビの繁殖は有効に抑制される。
【００５７】
浄化滅菌容器における液体用容器の形状、サイズ等も限定されない。例えば、１００〜１０００ｍＬ程度の容量のボトル形状、５００ｍＬ〜３０Ｌ程度の容量の携帯型タンク形状、数十リッター〜数十トン程度の容量の家庭用、ビル用もしくは集合住宅用の据え置き型タンク形状等を例示することができる。
【００５８】
飲料水の浄化滅菌容器は、好ましくは、容器壁部の少なくとも一部が光透過性の材料からなる。又、好ましくは、容器内部に多孔質複合材料に対する光照射用の光源を備える。これらの構成により、多孔質複合材料の光触媒成分による有害成分の分解作用や雑菌やカビに対する滅菌作用が常に確保される。
【００５９】
〔保持部材〕
浄化滅菌容器に設ける通水構造の保持部材は、浄化滅菌容器の不可欠の構成要素ではない。「通水構造」とは、要するに多孔質複合材料を任意の形態で保持でき、かつ内部に飲料水を流通させ得る構造を言う。種々の形態の保持部材によって多孔質複合材料を保持しておくと、次のような利点を期待できる。
【００６０】
１）多孔質複合材料が容器内部で位置決めされて、浄化滅菌容器の移動や運搬の際に多孔質複合材料の転動や動揺を起こし難い。
【００６１】
２）多孔質複合材料が粉状や粒状である場合において、これを通水構造の保持部材の内部に収容もしくは封入することにより、多孔質複合材料の機能を確保しつつ、これが飲料水中にバラケで分散することを防止できる。
【００６２】
３）保持部材を浄化滅菌容器の注水口に懸架する形式にしておけば、浄化滅菌容器内の多孔質複合材料を取り替える際に、保持部材ごと多孔質複合材料を容易に取り出せるため、便利である。
【実施例】
【００６３】
次に、本発明の一実施例を図面に基づいて説明する。本発明の技術的範囲が、この実施例によって限定されないことは言うまでもない。
【００６４】
図１は、本実施例に係る浄化滅菌容器１の各構成要素を互いに分離して示した斜視図であり、図２は、浄化滅菌容器１の使用状態を示す断面図である。
【００６５】
浄化滅菌容器１の液体容器２は、１．８リッター容量の透明なＰＥＴ（ポリエチレンテレフタレート）ボトルであり、容器本体部３と注水口であるボトルネック４とを備えている。ボトルネック４には雄ネジ５が形成され、これに対して内周に雌ネジを設けたキャップ６を螺合するようになっている。
【００６６】
保持部材７は、プラスチック材等の適宜な透明材料からなり、有底で上端が開口した所定の長さの筒状体である。保持部材７において、その筒状の壁部には液体を自由に出入りさせる複数のスリット８が切り欠き形成され、上端の開口部には外周側へ拡張したフランジ９が形成されている。
【００６７】
多孔質複合材料１０は、上記の保持部材７の筒状部に収容できる長さと太さを有する棒状の無機質焼成体である。多孔質複合材料１０は、図示のものと同様の長さと太さを有する筒状体であっても良い。この多孔質複合材料１０は、層状粘土鉱物たるカオリナイトを主成分とする木節粘土約６０重量％と、光触媒材料である酸化チタン約４０重量％とを混合した原料を焼成したものである。
【００６８】
上記の混合原料には、多孔体材料としての発泡スチロール粒の配合等の適宜な手段が施され、そのため多孔質複合材料１０は多数の気泡孔１１を伴うハニカム構造に仕上がっている。そして気泡孔１１はいわゆる連通型の連続気泡孔であるため、その内部を液体が自由に流通できる。
【００６９】
又、多孔質複合材料１０は約７００°Ｃで焼成されているため、焼成材料の強度が十分である一方で、酸化チタンはアナターゼ型であり、かつ木節粘土の配合に基づく非常に小さい細孔（図示しない）が豊富に発達した多孔質材料となっている。従って、飲料水中の有害成分に対する吸着能力が高く、また吸着した有害成分に対する光触媒作用に基づく分解能力も高く、しかも雑菌やカビの繁殖を抑制する能力も高い。
【００７０】
このように構成された浄化滅菌容器１は、図２に示すようにして使用される。即ち、まず保持部材７の筒状部に多孔質複合材料１０を収容する。そして飲料水１２が充填された液体容器２のボトルネック４から、この保持部材７を液体容器２の内部に差し込む。その時、保持部材７のフランジ９がボトルネック４の開口部に係止され、保持部材７は液体容器２中に懸架された状態となる。次に、内部にシール材１３を内装したキャップ６をボトルネック４に螺合することにより液体容器２を密封し、この状態で浄化滅菌容器１を保管するのである。
【００７１】
上記のような飲料水１２の保管中において、飲料水１２は保持部材７のスリット８を通過して多孔質複合材料１０に自由に接触する。更に、ハニカム構造である多孔質複合材料１０の内部を自由に流通する。又、外部の各種の自然光や人工光源による光は、透明な液体容器２及び保持部材７を透過して、多孔質複合材料１０に対して照射される。
【００７２】
その結果、飲料水１２中の有害成分、例えば水道水における塩素系化合物や、ＰＥＴ製である液体容器２から飲料水１２中に溶出した溶出成分は、多孔質複合材料１０によって吸着される。又、場合によって多孔質複合材料１０に含まれるアナターゼ型酸化チタンの光触媒作用により分解される。一方、保管中の飲料水１２においては、アナターゼ型酸化チタンの滅菌作用により、雑菌やカビの繁殖が有効に抑制される。
【産業上の利用可能性】
【００７３】
本発明は、水道水等の飲料水中に含まれる滅菌用の塩素系化合物を除去したもとで同時にそれらの飲料水の滅菌状態を維持することができる、有益な飲料水の浄化滅菌手段を提供できる。
【図面の簡単な説明】
【００７４】
【図１】実施例に係る浄化滅菌容器の分解斜視図である。
【００７５】
【図２】実施例に係る浄化滅菌容器の使用状態を示す断面図である。
【符号の説明】
【００７６】
１          浄化滅菌容器
２          液体容器
４          ボトルネック
６          キャップ
７          保持部材
８          スリット
１０        多孔質複合材料
１１        気泡孔
１２        飲料水
【図１】
2005040704.tif 000003
【図２】
2005040704.tif 000004